(57)【要約】【課題】  表示装置と通信端末とが直接あるいはネットワークなどを介して相互に通信し、表示装置が受信した映像の静止画データなどを通信端末に送信したり、その静止画データなどを通信端末に保存したりすることが可能な、表示装置、通信端末及びそれらを用いる情報通信システムを提供する。【解決手段】  映像信号などを受信して映像などを表示する表示装置１００と、この表示装置１００に表示中の映像のキャプチャー要求を含む要求信号を送信し表示装置１００から送信される信号を受信する通信端末２００とが直接又は間接的に相互通信し、表示装置１００が静止画データなどを通信端末２００に送信したり通信端末２００に保存したりする。【選択図】  図１
2005204212.tif 000002
【特許請求の範囲】
【請求項１】
受信信号に基いて映像を表示する表示装置であって、現在表示中の映像のキャプチャー要求を含む要求信号を受ける要求信号受信手段と、前記キャプチャー要求に基づく映像情報を記憶する記憶手段を具備することを特徴とする表示装置。
【請求項２】
請求項１記載の表示装置において、更に、前記記憶手段に記憶された映像情報を前記キャプチャー要求の要求元又は指定先に送信する送信手段を具備することを特徴とする表示装置。
【請求項３】
受信信号に基いてデータを表示する表示装置であって、現在表示中のデータのキャプチャー要求を含む要求信号を受けた際に、前記キャプチャー要求に基づくデータを前記キャプチャー要求の要求元又は指定先に送信する送信手段を具備することを特徴とする表示装置。
【請求項４】
受信信号に基いて映像を表示する表示装置であって、現在表示中の映像のキャプチャー要求を含む要求信号を受ける第１通信手段と、前記キャプチャー要求に基づく映像情報を記憶する記憶手段と、該記憶手段に記憶された映像情報を前記キャプチャー要求の要求元又は指定先に送信する第２通信手段とを具備することを特徴とする表示装置。
【請求項５】
受信信号に基いてデータを表示する表示装置であって、現在表示中のデータのキャプチャー要求を含む要求信号を受ける第１通信手段と、前記キャプチャー要求に基づくデータを前記キャプチャー要求の要求元に送信する第２通信手段とを具備することを特徴とする表示装置。
【請求項６】
請求項４又は５記載の表示装置において、前記第１通信手段と前記第２通信手段が共通であることを特徴とする表示装置。
【請求項７】
請求項１〜６のいずれか１項に記載の表示装置において、前記映像情報又はデータは静止画データであることを特徴とする表示装置。
【請求項８】
受信信号に基いて映像を表示する表示装置に対して該表示装置が表示中の映像のキャプチャー要求を含む要求信号を送信する送信手段を具備することを特徴とする通信端末。
【請求項９】
請求項８において、更に、前記キャプチャー要求に基いて取得された映像情報を前記表示装置から受信する受信手段とを具備することを特徴とする通信端末。
【請求項１０】
受信信号に基いて情報を表示する表示装置に対して該表示装置が現在表示中の情報のキャプチャー要求を含む要求信号を送信する第１通信手段と、前記キャプチャー要求に基いて取得された情報を前記表示装置から受信する第２通信手段とを具備することを特徴とする通信端末。
【請求項１１】
請求項１０記載の通信端末において、前記表示中の情報は映像又はデータであることを特徴とする通信端末。
【請求項１２】
第１の通信手段を具備し受信信号を受けて情報を表示する表示装置と、第２の通信手段を具備し前記表示装置に要求信号を送信する通信端末が相互に通信する情報通信システムにおいて、前記第２の通信手段から前記第１の通信手段に第１通信方式で前記要求信号を送信し、前記要求信号に基いて取得された情報を前記第１の通信手段から前記第２の通信手段へ第２通信方式で送信することを特徴とする情報通信システム。
【請求項１３】
請求項１２記載の情報通信システムにおいて、前記第１通信方式は赤外線通信を含み、前記第２通信方式は無線通信を含むことを特徴とする情報通信システム。
【請求項１４】
請求項１２記載の情報通信システムにおいて、前記第１及び第２の通信方式は赤外線通信であることを特徴とする情報通信システム。
【請求項１５】
請求項１２記載の情報通信システムにおいて、前記第１及び第２の通信方式は無線通信であることを特徴とする情報通信システム。
【請求項１６】
請求項１２〜１５のいずれかに記載の情報通信システムにおいて、前記表示装置はデータ暗号化機能を具備すると共に前記通信端末はデータ復号化機能を具備し、前記通信端末から要求信号を送信する際、前記通信端末から前記表示装置に暗号化鍵を送信し、前記表示装置は該暗号化鍵を用いてデータを暗号化し前記ネットワークを介して前記通信端末に送信することを特徴とする情報通信システム。
【請求項１７】
請求項１２〜１５のいずれかに記載の情報通信システムにおいて、前記表示装置はデータ暗号化機能を具備すると共に前記通信端末はデータ復号化機能を具備し、前記通信端末から要求信号を送信するに先立ち、前記通信端末から前記表示装置に暗号化鍵を送信し、前記表示装置は該暗号化鍵を用いてデータを暗号化し前記ネットワークを介して前記通信端末に送信することを特徴とする情報通信システム。
【請求項１８】
請求項１２〜１７のいずれかに記載の情報通信システムにおいて、前記表示装置はテレビジョン受像装置であることを特徴とする情報通信システム。
【請求項１９】
請求項１２〜１８のいずれかに記載の情報通信システムにおいて、前記通信端末は、携帯電話端末又は携帯情報端末であることを特徴とする情報通信システム。
【発明の詳細な説明】
【技術分野】
【０００１】
本発明は、表示装置、通信端末及びそれらを用いる情報通信システムに係り、特に、映像信号などを受信して表示する表示装置、該表示装置が表示中の映像のキャプチャー要求を含む要求信号を該表示装置に送信して所望の映像情報などを受信する通信端末、及びこれらの表示装置と通信端末を用いる情報通信システムに関する。
【背景技術】
【０００２】
テレビ放送は従来から娯楽や情報メディアとして重要な位置を占めている。また、近時は、テレビ放送のための通信方式もディジタル化が進み、従来の音声データや映像データだけでなくデータ形式の情報も伝送されるようになってきた。
【０００３】
一方、携帯電話も、生活に欠かせない情報通信機器として普及が進むと同時に高機能化が進み、さまざまな技術が組み込まれてきている。特に、最近はテレビ放送受信機能付の携帯電話やインターネットに接続可能なＷｅｂブラウザ（World Wide Web Browser）が内蔵されたテレビジョン受像装置なども開発されている。
【発明の開示】
【発明が解決しようとする課題】
【０００４】
しかしながら、通常のテレビジョン受像装置と携帯電話の連携ということでは、携帯電話に赤外線通信機能を付加してテレビジョン受像装置のリモコンとして利用する程度にとどまっている。
【０００５】
上述のようにテレビジョン受像装置も携帯電話もそれぞれ高機能化し、いずれも高い処理能力を持つにも拘らず、従来のテレビジョン受像装置に付いている赤外線通信機能はリモコンの受信機能だけであり、データなどの送信は出来なかった。このため、テレビ放送から受信した信号を携帯電話に送信したり、その信号を携帯電話に保存したりすることは出来なかった。
【課題を解決するための手段】
【０００６】
本発明は、テレビジョン受像装置のような表示装置と携帯電話のような通信端末のより一層の連携を図り、該表示装置と通信端末とが直接あるいはネットワークを介して相互に通信し、表示装置が受信した静止画データなどを通信端末に送信したり、該静止画データなどを通信端末に保存したりすることが可能な、表示装置、通信端末及びそれらを用いる情報通信システムを提供するものである。即ち、上記目的を達成するため、本発明は、受信信号に基いて映像を表示する表示装置において、現在表示中の映像のキャプチャー要求を含む要求信号を受ける要求信号受信手段と、キャプチャー要求に基づく映像情報を記憶する記憶手段を設けることにより、映像のキャプチャー要求に基づく静止画データなどを保存できるようにした。
【０００７】
また、本発明は、記憶手段に記憶された映像情報をキャプチャー要求の要求元又は指定先に送信する送信手段を更に設けることにより、上記静止画データなどを通信端末に送信したりすることができるようにした。
【０００８】
また、本発明は、表示装置が現在表示中のデータのキャプチャー要求を含む要求信号を受けた際に該データをキャプチャー要求の要求元又は指定先に送信する送信手段を設けることにより、所望のデータを通信端末に送信できるようにした。
【０００９】
また、本発明は、表示装置において、現在表示中の映像のキャプチャー要求を含む要求信号を受ける第１通信手段と、キャプチャー要求に基づく映像情報を記憶する記憶手段と、該記憶手段に記憶された映像情報をキャプチャー要求の要求元に送信する第２通信手段とを設けることにより、表示装置が受信した情報から所望の映像情報を通信端末に送信できるようにした。
【００１０】
また、本発明は、表示装置において、現在表示中のデータのキャプチャー要求を含む要求信号を受ける第１通信手段と、キャプチャー要求に基づくデータをキャプチャー要求の要求元又は指定先に送信する第２通信手段とを設けることにより、キャプチャー要求に基づく所望のデータを通信端末に送信できるようにした。
【００１１】
また、本発明は、表示装置において、第１通信手段と第２通信手段を共通にすることにより、表示装置の構成を比較的単純化して製作コストなどを低減化することができる。
【００１２】
また、本発明は、表示装置において、上記映像情報を静止画データとすることにより、上記静止画データなどを通信端末に送信できるようにした。
【００１３】
また、本発明は、通信端末において、上記表示装置が表示中の映像のキャプチャー要求を含む要求信号を上記表示装置に送信する送信手段を設けることにより、表示中の映像から上記表示装置が所望の映像を的確にキャプチャーできるようにした。
【００１４】
また、本発明は、通信端末において、キャプチャー要求に基いて取得された映像情報を上記表示装置から受信する受信手段を設けることにより、上記静止画データなどを通信端末に送信できるようにした。
【００１５】
また、本発明は、通信端末において、受信信号に基いて情報を表示する表示装置に対して該表示装置が表示中の情報のキャプチャー要求を含む要求信号を送信する第１通信手段と、キャプチャー要求に基いて取得された情報を表示装置から受信する第２通信手段とを設けることにより、所望の情報を効果的に受信できるようにした。
【００１６】
また、本発明は、通信端末において、情報を映像又はデータとすることにより、所望の映像又はデータを受信できるようにした。
【００１７】
また、本発明は、第１の通信手段を具備し受信信号を受けて情報を表示する表示装置と、第２の通信手段を具備し前記表示装置に要求信号を送信する通信端末が相互に通信する情報通信システムにおいて、前記第２の通信手段から前記第１の通信手段に第１通信方式で前記要求信号を送信し、前記要求信号に基いて取得された情報を前記第１の通信手段から前記第２の通信手段へ第２通信方式で送信するようにした。これにより、表示装置と通信端末が相互通信し表示装置から送信された情報を通信端末で受信できる。
【００１８】
また、本発明は、情報通信システムにおいて、上記第１通信方式を赤外線通信を含み第２通信方式は無線通信を含むことにより、要求信号を赤外線通信で送信し、映像やデータを短距離無線通信で受信できるようにした。
【００１９】
また、本発明は、情報通信システムにおいて、上記第１及び第２の通信方式は赤外線通信とすることにより、映像やデータを赤外線通信で受信できるようにした。
【００２０】
また、本発明は、情報通信システムにおいて、上記第１及び第２の通信方式は無線通信とすることにより、映像やデータを短距離無線通信で受信できるようにした。
【００２１】
また、本発明は、情報通信システムにおいて、表示装置はデータ暗号化機能を設けると共に通信端末はデータ復号化機能を設け、通信端末から要求信号を送信する際、通信端末から表示装置に暗号化鍵を送信し、表示装置は該暗号化鍵を用いてデータを暗号化しネットワークを介して通信端末に送信するようにした。これにより、通信端末から要求信号と暗号化鍵を表示装置に同時送信し、表示装置でデータを暗号化することができる。
【００２２】
また、本発明は、情報通信システムにおいて、表示装置はデータ暗号化機能を設けると共に通信端末はデータ復号化機能を設け、通信端末から要求信号を送信するに先立ち、通信端末から表示装置に暗号化鍵を送信し、表示装置は該暗号化鍵を用いてデータを暗号化しネットワークを介して通信端末に送信するようにした。これにより、通信端末から要求信号を送信するたびに暗号化鍵を送信しなくとも、表示装置でデータを暗号化することができる。
【００２３】
また、本発明は、情報通信システムにおいて、表示装置をテレビジョン受像装置とすることにより、テレビジョン受像装置が通信端末と通信し、該テレビジョン受像装置から送信された静止画データなどを受信したり保存したりすることができるようにした。
【００２４】
また、本発明は、情報通信システムにおいて、通信端末を携帯電話端末又は携帯情報端末とすることにより、携帯電話端末又は携帯情報端末が表示装置と通信し、表示装置から送信された静止画データなどを受信したり保存したりすることができるようにした。
【発明の効果】
【００２５】
本発明によれば、通信端末が表示装置と通信し表示装置が受信した映像やデータなどを簡単な操作で取込んで該映像やデータの情報を通信端末に保存することができるうえ、インターネットを利用して情報を送信し大きなサイズのデータもやりとりできる。また、データを暗号化することによりインターネットのような安全性の低い通信路を使用しても送信情報などの秘匿性を確保できる。
【発明を実施するための最良の形態】
【００２６】
以下、図を参照しながら本発明の実施形態について詳細に説明する。なお、本発明はこれらの実施形態により何ら限定されるものではなく、例えば後述の携帯電話２００は、インターネットに接続したり赤外線通信したりすることが可能なゲーム機、移動体通信機器、ＰＤＡ（Personal Digital Assistant）など他の通信端末に代えても良いものとする。
【００２７】
図１は本発明の第１の実施形態に係る情報通信システムの構成説明図である。この図において、１００はテレビ放送などの信号を受信して表示するテレビジョン受像装置、１１０はテレビジョン受像装置１００に装着され例えば赤外線通信を行なう通信デバイスである。
【００２８】
また、２００はテレビジョン受像装置１００に特定の要求信号を送信し該テレビジョン受像装置１００から静止画データなどを受信する携帯電話、２１０は携帯電話２００に装着され上記通信デバイス１１０などとの間で例えば赤外線通信を行なう通信デバイス、２２０は携帯電話２００に設けられ例えば画像取込みやデータ取込みを行わせるための操作ボタン、２３０は携帯電話２００のキー操作を行なうカーソルキー、２４０は携帯電話２００に装着されたアンテナである。
【００２９】
なお、上記テレビジョン受像装置１００で受信される情報は、一般のテレビ放送、衛星放送、地上波放送、インターネット、或いは有線テレビ放送などの放送情報を含むものとする。また、上記通信デバイス１１０、２１０は、通常のリモコン送受信部と兼用しても良く或いは該リモコン送受信部とは別に設けられたデータ送受信専用の通信デバイスとしても良い。更に、上記操作ボタン２２０による機能操作は必ずしも携帯電話２００のデバイス上に配置された専用のボタンで行う必要はなく、例えば携帯電話２００に内蔵されたアプリケーションソフトなどを用いて同様の機能操作を行なわせても良いものとする。
【００３０】
図２は上記テレビジョン受像装置１００における電気回路を示すブロック構成図であり、図３は上記携帯電話２００における電気回路を示すブロック構成図である。なお、これらのブロック構成図において、本発明と直接関係のない機能ブロックは説明の都合上省略されているものとする。
【００３１】
本実施形態における上記テレビジョン受像装置１００は、図２に示すように、上記携帯電話２００から送信された画像取込み要求信号などを受信する信号受信部１２１と、該信号受信部１２１が受信した信号に応じて所定の制御信号を発生する制御信号生成部１２２と、テレビアンテナなど（図示せず）から受信した情報信号を復調してベースバンド信号を生成する受信・復調部１２３と、該ベースバンド信号から音声信号と映像信号をそれぞれ取り出す復号部１２４と、該復号部で取り出された音声信号を再生して音声化するスピーカ部１２５と、復号部１２４で取り出された映像信号を再生して表示する表示部１２６と、復号部１２４から送出された映像信号を制御信号生成部１２２から送出された画面記録制御信号に従って保存（記録）する記録部１２７と、記録部１２７の出力を後述の信号送信部１２９から送信するのに適した信号に変換する送信信号生成部１２８と、該送信信号生成部１２８の出力を受けて上記携帯電話２００の通信デバイス２１０に送信する信号送信部１２９とから構成されている。
【００３２】
また、本実施形態における上記携帯電話２００は、図３に示すように、上記操作ボタン２２０などで構成され該操作ボタン２２０の操作に応じてチャネル制御や画像取込みを要求する信号を出力する操作部２４１と、該操作部２４１の出力信号を受けて所定の演算処理などを行なう中央処理部２４２と、該中央処理部２４２の出力を受けて例えば送信に適した所定の信号に変換する信号変換部２４３と、該信号変換部２４３の出力を受けて上記テレビジョン受像装置１００の通信デバイス１１０に要求信号を送信すると共に該通信デバイス１１０から送信された静止画データなどを受信する送受信部２４４と、中央処理部２４２との間で画像データの送受信を行うと共に中央処理部２４２から送出された画像データを記録する記録部２４５とから構成されている。
【００３３】
尚、図３において送受信部２４４は図１の通信デバイス２１０又はアンテナ２４０に相当する１つのブロックで表示されているが、次のような送信部Ａと受信部Ｂに分離しても良い。例えば、図１の通信デバイス２１０を上記要求信号を送信するための送信用通信デバイスとし、図１のアンテナ２４０を上記静止画データなどを受信するための受信専用アンテナとするなどして、送信用通信デバイスを表わす送信部Ａと受信専用アンテナを表わす受信部Ｂに分離しても良い。
【００３４】
上述のような構成からなる本実施形態において、図２の受信・復調部１２３が図示しないテレビアンテナなどから受信した信号を復調してベースバンド信号を生成すると、該ベースバンド信号から復号部１２４で音声信号と映像信号が取り出され、該映像信号は表示部１２６に送られると同時に記録部１２７に送出される。
【００３５】
一方、上記テレビジョン受像装置１００で表示中のテレビ番組を視聴している利用者が記録したいと思う画面が現れたような場合、該利用者はその画像を取り込むため携帯電話２００をテレビジョン受像装置１００の方にかざして上記操作ボタン２２０を押すと、携帯電話２００の通信デバイス２１０からテレビジョン受像装置１００の通信デバイス１１０に向けて例えば赤外線による要求信号が送信される。即ち、図３の操作部２４１から画像取込みを要求する要求信号が送出され、中央処理部２４２及び信号変換部２４３を経て送受信部２４４から上記テレビジョン受像装置１００の通信デバイス１１０に送信される。
【００３６】
この要求信号は、図２の信号受信部１２１で受信されたのち制御信号生成部１２２に導かれ、該制御信号に応じた画面記録制御信号を生じさせる。この画面記録制御信号が記録部１２７で受信されると、表示部１２６で表示されているのと同じ画像データが記録部１２７に保存（記録）される。
【００３７】
このようにして記録部１２７に一旦保存された信号は、送信信号生成部１２８で送信に適した信号に変換され信号送信部１２９から、上記携帯電話２００の通信デバイス２１０に向けて送信される。ここで、送信に適した信号としては、例えばＨＴＭＬ（Hypertext Markup Language）形式の信号やＪＰＥＧ（Joint Photographic Expert Group）形式の信号などが挙げられる。
【００３８】
上述のように携帯電話２００が画像の取込みを要求する信号をテレビジョン受像装置１００に向けて送信した場合、図３の送受信部２４４はテレビジョン受像装置１００から送信される信号の受信待ち状態になっている。このため、送受信部２４４はテレビジョン受像装置１００から送信された静止画データなどの信号を受信すると、該受信信号は瞬時に図２の信号変換部２４３を経て中央処理部２４２に送られ、画像データとして記録部２４５に保存（記録）される。
【００３９】
なお、図２の信号受信部１２１が受信した信号がチャネルの切り替えを要求する制御信号である場合には、制御信号生成部１２２から受信・復調部１２３にチャネル制御信号が送出されるようになっている。また、信号受信部１２１が受信した信号が電源オンオフ制御信号やボリューム制御信号などである場合もあるが、ここでは説明を省略するものとする。
【００４０】
以上詳しく説明したように、本実施形態において、携帯電話２００の通信デバイス２１０（通信端末の第１通信手段）からテレビジョン受像装置１００の通信デバイス１１０（表示装置の第１通信手段）に第１通信方式で要求信号が送信され、該要求信号に従った静止画データなどがテレビジョン受像装置１００の通信デバイス１１０（表示装置の第２通信手段）から第２通信方式で送信され、携帯電話２００のアンテナ２４０（通信端末の第２通信手段）で受信されるようになっている。これにより、テレビジョン受像装置１００（表示装置）と携帯電話２００（通信端末）が相互通信しテレビジョン受像装置１００（表示装置）から送信された静止画データなどが携帯電話２００（通信端末）で受信されたり保存されたりするようになる。この場合、小容量の要求信号が送受信される第１通信方式として赤外線通信方式を用い大容量の静止画データなどが送受信される第２通信方式として短距離無線通信方式を用いても良く、第１及び第２通信方式とも同一の赤外線通信方式又は同一の短距離無線通信方式を用いても良いものとする。
【００４１】
図４は本実施形態に係る情報通信システムの動作を説明するためのシーケンス説明図である。この図と図１を用いて、以下、本実施形態におけるテレビジョン受像装置１００と携帯電話２００との間の信号の流れを更に詳しく説明する。
【００４２】
図１及び図４において、テレビジョン受像装置１００で表示中（図４の番組表示中Ａ）のテレビ番組を視聴している利用者が記録したいと思う画面が現れた場合、該利用者はその画像を取り込むため携帯電話２００をテレビジョン受像装置１００の方にかざして操作ボタン２２０を押す（図４の画像取込みボタン押下Ｂ）。この操作により、携帯電話２００の通信デバイス２１０から画像取込みを要求する信号がテレビジョン受像装置１００の通信デバイス１１０に送信される（図４の画像取込み要求Ｃ）。
【００４３】
テレビジョン受像装置１００は、この画像取込み要求信号を受けて、表示中の画面を例えばＪＰＥＧ形式のような静止画フォーマットのファイルに保存する（図４の「画面の静止画保存（0001.jpg）Ｄ」）と共に、該静止画ファイルを携帯電話２００へ送信する（図４のファイル送信Ｅ）。
【００４４】
携帯電話２００からテレビジョン受像装置１００へ画像取込み要求信号を送信した直後から、携帯電話２００は前述のようにファイル受信待ち受け状態になっている。このため、携帯電話２００が画像ファイル（図４の「画像ファイル（0001.jpg）Ｆ」）を受信すると、その画像ファイルは携帯電話２００内の所定の記録領域または外部記録メディアの所定の領域に保存される（図４の「ファイル保存（0001.jpg）Ｇ」）。
【００４５】
この外部記録メディアとしては、随時読み出し可能なＲＡＭ（Random Access Memory）が通常用いられるが、磁気テープやカセットテープ等のテープ系、ＩＣカードや光カード等のカード系、フロッピー（登録商標）ディスクやハードディスク等の磁気ディスク系、ＣＤ−ＲＯＭ(Compact Disc - Read Only Memory)、ＭＯ（Magneto Optical Disk）、ＭＤ（Mini Disc）、ＤＶＤ（Digital Versatile Disk）等の光ディスク系、或いはマスクＲＯＭ、ＥＰＲＯＭ（Erasable and Programmable ROM）、ＥＥＰＲＯＭ（Electrically Erasable and Programmable ROM）、フラッシュＲＯＭ等の半導体メモリを含め固定的に情報を担持する媒体であっても良いものとする。なお、テレビジョン受像装置１００から携帯端末２００への送信のタイムラグは、例えば要求信号中において設定できるようにしても良い。
【００４６】
図５は本発明の第２の実施形態に係る情報通信システムの動作を説明するシーケンス説明図であり、図中、図４と同一語句や同一記号は同一の意味をもたせて使用しここでの重複説明は省略する。また、図５において括弧書きされた「一定間隔で上書き」は、テレビジョン受像装置１００における記録領域の制限から画像ファイル（0001.jpgなど）が一定間隔（例えば５秒間隔など）で上書きされ以前のファイルが消去されることを意味する。
以下、図１及び図５を用いて本実施形態におけるテレビジョン受像装置と携帯電話間の信号の流れを説明する。実施形態は、携帯電話２００の画像取込みのため操作ボタン２２０を押す操作と、実際に行う操作との間にタイムラグがある場合を考慮したものである。
【００４７】
図１及び図５において、テレビジョン受像装置１００を視聴する利用者があらかじめ画像取込み準備のため操作ボタン２２０を押して（図５の画像取込み準備ボタン押下Ｂ”）、テレビジョン受像装置１００を画像取込み準備状態にしておく。このような画像取込み準備状態において、テレビジョン受像装置１００は例えば1秒毎に画面の静止画をテレビジョン受像装置１００内の記憶領域に保存する（図５の「一秒おきに画面の静止画保存Ｄ’」）。
【００４８】
但し、テレビジョン受像装置１００内の記録領域の制限から一定枚数の画像を保存した状態では古いファイルに上書きして保存するものとし、本実施形態では５回画像を保存した後それ以前のファイルが上書き消去される。
【００４９】
上述のような画像取込み準備が施された状態において、テレビジョン受像装置１００で表示中（図５の番組表示中Ａ）のテレビ番組を利用者が視聴し保存（記録）したい画面が現れた場合、該利用者は携帯電話２００をテレビジョン受像装置１００の方にかざして画像取込みのため操作ボタン２２０を押す（図５の画像取込みボタン押下Ｂ）。携帯電話２００の通信デバイス２１０から画像取込み要求信号がテレビジョン受像装置１００の通信デバイス１１０に送信される（図５の画像取込み要求Ｃ）。テレビジョン受像装置１００では画像取込み要求信号を受けて、自動的な画像の保存を停止すると共に、表示中の画面を静止画フォーマット（例えばＪＰＥＧ形式）のファイルに保存し、最新の静止画ファイルをテレビジョン受像装置１００の画面に表示する（図５の「最新の画面の静止画表示（0002.jpg）Ｋ」）。
【００５０】
テレビジョン受像装置１００に表示中の画面が所望の画面と異なる場合、利用者は携帯電話２００のカーソルキー２３０を使用して（図５の「ＵＰボタン押下」Ｌおよび「Prev」Ｍ）一つ前の静止画ファイルを表示させる（図５の「一つ前の画面の静止画表示（0001.jpg）Ｎ」）。所望の画面が表示されたところで、利用者は携帯電話２００のＯＫボタン（例えば操作ボタン２２０で兼用されたボタン）を押す（図５のＯＫボタン押下Ｏ）ことにより、テレビジョン受像装置１００にファイルの送信を要求する（図５の「ＯＫ」Ｐ）。この要求信号（ＯＫ信号）を受けたテレビジョン受像装置１００は、該当するファイルを送信する（図５の「ファイル送信Ｅ」および「画像ファイル（0001.jpg）Ｆ」）。一方、ＯＫ信号を送信した直後から、携帯電話２００は前述のようにファイル受信待ち受け状態になっており、テレビジョン受像装置１００から受信した画像ファイルを瞬時に携帯電話２００内の所定の記録領域または前述のような外部記録メディアの所定の領域に保存する（図５の「ファイル保存（0001.jpg）Ｇ」）。
【００５１】
図６は本発明の第３の実施形態に係る情報通信システムを説明するための図であり、図中、図１と同一記号は同一意味を持たせて使用し、ここでの重複説明は省略する。また、３００は携帯電話２００の最寄りの基地局、３１０は専用のネットワーク（Core Network）、３２０は汎用ネットワークとして機能するインターネット、３３０は異なる種類のプロトコルを使っている場合でもネットワーク３１０をインターネット３２０に接続してデータ受け渡しを可能にするゲートウエイである。
【００５２】
一方、図７は本実施形態に係る情報通信システムの動作を説明するシーケンス説明図であり、図中、図４と同一語句や同一記号は同一の意味をもたせて使用しここでの重複説明は省略する。この図と図６を用いて、以下、本実施形態におけるテレビジョン受像装置と携帯電話間の信号の流れを説明する。
【００５３】
図６及び図７において、テレビジョン受像装置１００で表示中（図７の番組表示中Ａ）のテレビ番組を利用者が視聴し該利用者が記録したい画面が現れた場合、該利用者は携帯電話２００の操作ボタン２２０を押す（図７の画像取込みボタン押下Ｂ）と、携帯電話２００内で疑似ランダム系列が生成され、暗号鍵となる（図７の鍵生成Ｈ）。殆ど同時に、携帯電話２００から画像取込みを要求する信号が、携帯電話２００の通信デバイス２１０からテレビジョン受像装置１００に送信され、上記暗号鍵も一緒に送信される（図７の「画像取込み要求Ｃ＋暗号化鍵Ｃ’」）。テレビジョン受像装置１００は、この信号を受けて、表示中の画面を例えばＪＰＥＧ形式のような静止画フォーマットのファイルに保存する（図７の「画面の静止画保存（0001.jpg）Ｄ」）。
【００５４】
尚、上記暗号鍵の生成と送信は携帯電話２００によって自動的に行われ、利用者が行う携帯電話２００の操作は前述の第１実施形態の場合と同じである為、ここでの重複した詳しい説明は省略する。暗号化通信には暗号化鍵の安全な受け渡しが重要であるが、ここでは赤外線通信などの通信方式を用いることにより暗号化鍵が第三者に渡る危険を避けることができる。また、暗号化鍵を生成した携帯電話２００が画像データの受け手になるためユーザによるパスワード入力等の手順を用いる必要がなく、推定の困難な疑似ランダム系列を暗号化鍵として用いることでセキュリティ対策が一層確実なものとすることができる。
【００５５】
一方、テレビジョン受像装置１００は携帯電話２００から送信された上述の画像取込み要求信号を受けて、表示中の画面を静止画のフォーマット（例えばＪＰＥＧ形式）のファイルに保存すると共に、更に暗号化を行なう（図７の「ファイルの暗号化Ｉ」）。この暗号化されたファイルは、インターネット３２０→ゲートウエイ３３０→専用のネットワーク３１０→最寄りの基地局３００→携帯電話２００のアンテナ２４０を経由し、例えば電子メールの形で携帯電話２００に送信される（図７の「ファイル送信Ｅ」）。
【００５６】
携帯電話２００は上記の画像取込み要求信号及び暗号鍵を送信した直後から画像ファイルの待ち受け状態になっており、画像ファイル（図７の「暗号化された画像ファイル（0001.jpg）Ｆ’」）を受信すると該画像ファイルを上記の暗号鍵を使用して復号し（図７の復号化Ｊ）、携帯電話２００内の所定の記録領域または前述のような外部記録メディアの所定の領域に保存する（図７の「ファイル保存（0001.jpg）Ｇ」）。
【００５７】
なお、上記の暗号鍵はあらかじめ生成したものをテレビジョン受像装置１００と携帯電話２００で共有しておくことも可能であり、その場合は画像取込みを要求する信号を送るたびに暗号鍵を送信する必要がなくなる。また、暗号鍵をその都度生成して送信する場合には、データの安全性が一層高くなる。
【００５８】
上述のような本発明の第１〜第３の実施形態で説明した表示装置や通信端末は、これらの機器を機能させるためのプログラムで実現するようにしても良い。この場合、これらのプログラムはコンピュータで読み取り可能な記録媒体に格納されている。本発明では、この記録媒体として、表示装置や通信端末に内蔵されている図示しないＲＯＭそのものがプログラムメディアであっても良いし、或いは、外部記憶装置としてＣＤ−ＲＯＭドライバ等のプログラム読み取り装置が設けられ、そこに記録媒体を挿入することで読み取り可能なＣＤ−ＲＯＭのようなプログラムメディアとしても良い。
【００５９】
いずれの場合も、格納されているプログラムはＣＰＵ(Central Processing Unit)がアクセスして実行させる構成であっても良いし、或いはプログラムを読み出し該プログラムがプログラム記憶エリアにダウンロードされて実行される方式であっても良い。この場合には、ダウンロード用のプログラムは予め表示装置や通信端末に格納されているものとする。
【００６０】
また、外部の通信ネットワークとの接続が可能な手段（図示せず）を備えている場合には、その通信接続手段を介して通信ネットワークからプログラムをダウンロードするように、流動的にプログラムを担持する媒体であってもよい。このように通信ネットワークからプログラムをダウンロードする場合には、そのダウンロード用プログラムは予めテレビジョン受像装置１００や携帯電話２００に格納しておくか或いは別な記録媒体からインストールされるものであってもよい。また、記録媒体に格納されている内容としてはプログラムに限定されず、データであっても良いものとする。
【００６１】
以上、本発明の第１〜第３実施形態について詳述したが、本発明は、これらの実施形態に限定されるものではなく、特許請求の範囲に記載された本発明の精神を逸脱しない範囲で種々の変更が可能であり、例えば次のような変更を行うことができる。（１）テレビジョン受像装置１００は、映像データ信号、音声データ信号及びマルチメディアデータを多重化したデジタルデータを受信し再生して表示する映像データ音声データ表示装置に代えても良い。（２）テレビジョン受像装置１００にデータ送信機能を持たせる代わりにテレビジョン受像機能を備えたコンピュータを用い該コンピュータのソフトウエアでこれらのデータ送信機能を行わせても良い。（３）テレビジョン受像装置１００で表示されるものは映像の他に、ニュース、天気予報又はレジャー情報などのデータ放送情報を含んでも良いものとする。（４）通信端末とのネットワークは、ＡＴＭ（Asynchronous Transfer Mode）、ＦＴＴＨ（Fiber to the Home）、有線又は無線のＬＡＮ（Local Area Network）、固定電話回線、通信端末を使ったダイアルアップ接続、ケーブルテレビジョン受像装置回線を利用した接続、或いはインターネットに接続可能な通信端末を使ったパケット通信に代えても良い。
【産業上の利用可能性】
【００６２】
本発明の活用例として、表示装置と通信端末が直接又は間接に相互通信し表示装置が受信したテレビ映像の静止画データなどを通信端末に送信して保存する情報通信システムが挙げられる。
【図面の簡単な説明】
【００６３】
【図１】本発明の第１実施形態に係る情報通信システムを説明するための図である。
【図２】本発明の第１実施形態に係るテレビジョン受像装置のブロック構成図である。
【図３】本発明の第１実施形態に係る携帯電話のブロック構成図である。
【図４】本発明の第１実施形態に係る情報通信システムの動作を説明するシーケンス図である。
【図５】本発明の第２実施形態に係る情報通信システムの動作を説明するシーケンス図である。
【図６】本発明の第３実施形態に係る情報通信システムを説明するための図である。
【図７】本発明の第３実施形態に係る情報通信システムの動作を説明するシーケンス図である。
【符号の説明】
【００６４】
１００…テレビジョン受像装置、１１０…テレビジョン受像装置に装着された通信デバイス、２００…携帯電話、２１０…携帯電話に装着された通信デバイス、２２０…携帯電話の操作ボタン、２３０…携帯電話のカーソルキー、２４０…携帯電話のアンテナ、３００…最寄りの基地局、３１０…ネットワーク、３２０…インターネット、３３０…ゲートウェイ。
【図１】
2005204212.tif 000003
【図２】
2005204212.tif 000004
【図３】
2005204212.tif 000005
【図４】
2005204212.tif 000006
【図５】
2005204212.tif 000007
【図６】
2005204212.tif 000008
【図７】
2005204212.tif 000009